(57)【特許請求の範囲】
【請求項１】
横断面波形に成形される金属製板と、その板の長さ方向にはその板の両端に重ね代を残して互いに支持部材の間隔を置き、その板の幅方向にはその板の両側に重ね山を残して互いに適宜の間隔を置き、そして、その板の裏面に溶接される多数の短いワイヤとを含む建築板材。
【請求項２】
平板状に成形される金属製板と、その板の長さ方向にはその板の両端に重ね代を残して互いに支持部材の間隔を置き、その板の幅方向にはその板の両側に重ね代を残して互いに適宜の間隔を置き、そして、その板の裏面に溶接される多数の短いワイヤとを含む建築板材。
【請求項３】
横断面波形に成形されるプラスチック板と、その板の長さ方向にはその板の両端に重ね代を残して互いに支持部材の間隔を置き、その板の幅方向にはその板の両側に重ね山を残して互いに適宜の間隔を置き、そして、その板にワイヤ中間部分を埋め込んでその板に一体的に結合されてその板の裏面から外部に両ワイヤ縛り付け部分を伸長させる多数の短いワイヤとを含む建築部材。
【請求項４】
平板状に成形されるプラスチック板と、その板の長さ方向にはその板の両端に重ね代を残して互いに支持部材の間隔を置き、その板の幅方向にはその板の両側に重ね代を残して互いに適宜の間隔を置き、そして、その板にワイヤ中間部分を埋め込んでその板に一体的に結合されてその板の裏面から外部に両ワイヤ縛り付け部分を伸長させる多数の短いワイヤとを含む建築部材。
【発明の詳細な説明】
【０００１】
【発明の関係する分野】
この発明は、屋根葺材料として、また、垣根材や柵材として用いられる建築板材に関し、さらに詳細には、通常の波形亜鉛鉄板、平板状亜鉛鉄板、キーストン・プレート、波形プラスチック板、平板状プラスチック板、および鋼矢板などを改良する建築板材に関する。
【０００２】
【背景技術】
屋根葺きでは、波形亜鉛鉄板やキーストン・プレートは、予めボルト穴を明け、たる木の上に２山重ねに並べられ、そして、パッキングを挟んでボルト締めでそのたる木に取り付けられるのが一般である。また、塀にもその波形亜鉛鉄板や波形プラスチック板は同様にボルト締めで横木に取り付けられる。そして、その取付け作業は、その波形亜鉛鉄板やそのキーストン・プレート、またはその波形プラスチック板の両面側で行われるので、例えば、その屋根葺きでは、ヒトが屋根の上に乗るか、またはその屋根の上に身を乗り出し、若しくはその屋根の上側に手を伸ばす必要があるので、厄介でその取付け作業に要する工数が掛かった。それに加えてパッキングを用いて雨漏りを防ぐ必要があった。
【０００３】
【発明の課題】
この発明の課題は、取付け作業を簡単で安全にできてその取付け作業に要する工数を大幅に短縮でき、そして、シール材を省いて屋根や塀などに用いられるところの建築板材の提供にある。
【０００４】
【課題に相応する手段およびそれの作用】
この発明は、横断面波形に成形される板と、その板の長さ方向にはその板の両端に重ね代を残して互いに支持部材の間隔を置き、その板の幅方向にはその板の両側に重ね山を残して互いに適宜の間隔を置き、そして、多数のワイヤ・アンカーに対応されてそのワイヤ・アンカーでその板の裏面に支持される多数の短いワイヤとを含み、そして、その板の片面側においてそのワイヤをたる木や横木などに縛り付け、そのようにしてその板を簡単で安全に取り付け可能にする。
【０００５】
また、この発明は、横断面波形に成形される金属製板と、その板の長さ方向にはその板の両端に重ね代を残して互いに支持部材の間隔を置き、その板の幅方向にはその板の両側に重ね山を残して互いに適宜の間隔を置き、そして、その板の裏面に溶接される多数の短いワイヤとを含み、そして、その板の片面側においてそのワイヤをたる木や横木などに縛り付け、そのようにしてその板を簡単で安全に取り付け可能にする。
【０００６】
さらに、この発明は、平板状に成形される金属製板と、その板の長さ方向にはその板の両端に重ね代を残して互いに支持部材の間隔を置き、その板の幅方向にはその板の両側に重ね代を残して互いに適宜の間隔を置き、そして、その板の裏面に溶接される多数の短いワイヤとを含み、そして、その板の片面側においてそのワイヤをたる木や横木などに縛り付け、そのようにしてその板を簡単で安全に取り付け可能にする。
【０００７】
またさらに、この発明は、横断面波形に成形されるプラスチック板と、その板の長さ方向にはその板の両端に重ね代を残して互いに支持部材の間隔を置き、その板の幅方向にはその板の両側に重ね山を残して互いに適宜の間隔を置き、そして、ワイヤ中間部分でその板に結合されてその板の裏面から外部に両ワイヤ縛り付け部分を伸長させる多数の短いワイヤとを含み、そして、その板の片面側においてそのワイヤをたる木や横木などに縛り付け、そのようにしてその板を簡単で安全に取り付け可能にする。
【０００８】
さらには、この発明は、平板状に成形されるプラスチック板と、その板の長さ方向にはその板の両端に重ね代を残して互いに支持部材の間隔を置き、その板の幅方向にはその板の両側に重ね代を残して互いに適宜の間隔を置き、そして、ワイヤ中間部分でその板に結合されてその板の裏面から外部に両ワイヤ縛り付け部分を伸長させる多数の短いワイヤとを含み、そして、その板の片面側においてそのワイヤをたる木や横木などに縛り付け、そのようにしてその板を簡単で安全に取り付け可能にする。
【０００９】
【具体例の説明】
以下、この発明の建築板材の特定された具体例について、図面を参照して説明する。図１ないし図３は、物置小屋の屋根に用いられるこの発明の建築板材の具体例１０を示している。その建築板材１０は、横断面波形に成形された亜鉛鉄板１１と、その板１１の長さ方向にはその板１１の両端１７，１７に重ね代１９，１９を残して互いにたる木３０，３０，３０，３０の間隔を置き、その板１１の幅方向にはその板１１の両側１８，１８に重ね山２０，２０を残して互いに適宜の間隔を置き、そして、多数のワイヤ・アンカー２２，２２，…，２２に対応されてそのワイヤ・アンカー２２，２２，…，２２でその板１１の裏面１３に支持された多数の短いワイヤ２１，２１，…，２１とで作られる。
【００１０】
その亜鉛鉄板１１は、通常の波形亜鉛鉄板が使用され、また、その短いワイヤ２１，２１，…，２１は、ボビンから巻き戻される長い鋼製単線を切断して用いる。具体的には、その短いワイヤ２１，２１，…，２１は、それの両端により代を取ってそのたる木３０に縛り付けるに十分な長さにその鋼製単線を切断して用いる。そして、その短いワイヤ２１，２１，…，２１は、図２に示されたようにその板１１のその裏面１３において波１４の谷１６に添えられて溶接されるそのワイヤ・アンカー２２，２２，…，２２でその板１１のその裏面１３に止められる。勿論、その波１４のその谷１６はその板１１の表面１２から見てその波１４の山１５のところである。
【００１１】
そのワイヤ・アンカー２２，２２，…，２２は、所定の板厚の鋼板から短冊片に切断され、図３に示されたようにその波１４のその谷１６に収まるアーチ状にＲ曲げされ、そして、そのアーチのトップにワイヤ溝２３がプレス加工される。そのようにプレス加工されたそのワイヤ・アンカー２２は、予めそのワイヤ溝２３にその短いワイヤ２１をはめ合わせて組み合わせ、そして、その板１１のその裏面１３においてその波１４のその谷１６に溶接されてその板１１のその裏面１３にその短いワイヤ２１を止める。勿論、そのワイヤ・アンカー２２は、先立ってその板１１のその裏面１３においてその波１４のその谷１６に溶接され、それからその短いワイヤ２１がそのワイヤ溝２３に通されてその板１１に止められても構わない。
【００１２】
そのようにその多数の短いワイヤ２１，２１，…，２１がその対応するワイヤ・アンカー２２，２２，…，２２でその亜鉛鉄板１１のその裏面１３に止められて支持されると、それらはその建築板材１０、すなわち、波付けされた建築板材１０に仕上げられる。その波付けされた建築板材１０はその状態で保管され、また、工事現場に運搬される。
【００１３】
次に、その物置小屋の屋根を葺く際のその波付けされた建築板材１０の取付け工事を説明する。最初に、その波付けされた建築板材１０は、そのたる木３０，３０，３０，３０の上に渡して乗せられ、そして、そのワイヤ・アンカー２２，２２，…，２２がその対応するたる木３０，３０，３０，３０の上に位置決めされる。次には、図２に示されたようにその短いワイヤ２１がそのたる木３０に縛り付けられてその波付けされた建築板材１０は、それの裏面側でのみの作業でそのたる木３０，３０，３０，３０に取り付けられる。そして、さらに準備されたその波付けされた建築板材１０の複数枚が、幅方向には山重ねで順次継ぎ合わせられ、また、長さ方向には重ね代の重ねで順次継ぎ合わせられてそのたる木３０，３０，３０，３０やそのたる木３０，３０，３０，３０に関連して並べられた別のたる木の上に取り付けられ、そして、その物置小屋のその屋根に葺き上げられる。
【００１４】
そのような取付け作業を可能にするこの波付けされた建築板材１０では、通常の波形亜鉛鉄板や波形プラスチック板などに明けられるボルト穴やそのボルト穴からの雨漏りを防ぐパッキングが省かれて取り付けられ、耐久年数が増えて取付け工事に用いる部品点数が削減され、その取付け工事が安全でしかも簡単でその取付け工事に要する時間、すなわち、工数が大幅に短縮されて工事総コストが削減される。さらに、この波付けされた建築板材１０は、その表面１２にボルトを突き出さずにその短いワイヤ２１でそのたる木３０に止められるので、その物置小屋のその屋根が安全で見映えが向上される。
【００１５】
その波付けされた建築板材１０は、そのワイヤ・アンカー２２がその波形亜鉛鉄板１１のその裏面１３においてその波１４のその谷１６に溶接されると説明されたが、そのワイヤ・アンカー２２は、その波形亜鉛鉄板１１のその裏面１３から見てその波１４のその山１５に溶接可能である。その場合、そのワイヤ・アンカー２２は、その波１４にその山１５に適合するアーチ状に逆にＲ曲げされる。また、その波付けされた建築板材１０は、波形亜鉛鉄板１１を用いて説明されたが、同様にキーストン・プレート、波形プラスチック板、および鋼矢板なども使用可能で、例えば、そのキーストン・プレートを用いる場合には、そのワイヤ・アンカー２２，２２，…，２２は、図４に示されたように変形されたワイヤ・アンカー４０に作られる。そのワイヤ・アンカー４０は、所定の板厚の鋼板から短冊片に切断され、そのキーストン・プレートの波の谷に収まるキーストン状アーチに曲げられ、そして、そのアーチのトップにワイヤ溝４１がプレス加工される。また、その波付けされた建築板材１０がその波形プラスチック板を用いる場合、そのワイヤ・アンカー２２，２２，…，２２は、樹脂から成形され、そして、その波形プラスチック板の裏面において波の谷に接着されてそのプラスチック板のその裏面にその短いワイヤ２１を止める。さらに、その波形プラスチック板では、そのワイヤ・アンカー２２は、図５に示されたように変形されるのが望ましい。その変形されたワイヤ・アンカー５０は、そのワイヤ溝２３を目玉５１に置き換えて樹脂から成形され、その波形プラスチック板のその裏面においてその波のその谷に接着され、そして、その目玉５１にその短いワイヤ２１を通してその波形プラスチック板にその短いワイヤ２１を支持可能にする。
【００１６】
図６および図７は、さらに簡略にするように改善されてその物置小屋のその屋根に用いられるこの発明の建築板材の具体例６０を示している。この建築板材６０は、そのワイヤ・アンカー２２，２２，…，２２を省くところであって、具体的には、横断面波形に成形された亜鉛鉄板１１と、その板１１の長さ方向にはその板１１の両端１７，１７に重ね代１９，１９を残して互いにそのたる木３０，３０，３０，３０の間隔を置き、その板１１の幅方向にはその板１１の両側１８，１８に重ね山２０，２０を残して互いに適宜の間隔を置き、そして、その板１１のその裏面１３に溶接された多数の短いワイヤ２１，２１，…，２１とで作られる。
【００１７】
その短いワイヤ２１，２１，…，２１は、そのたる木３０，３０，３０，３０の寸法に合わせた溶接代６１でその波形亜鉛鉄板１１のその裏面１３に直接溶接される。そのようにその短いワイヤ２１，２１，…，２１がその波形亜鉛鉄板１１に直接溶接されるその建築板材６０では、そのワイヤ・アンカー２２，２２，…，２２が省かれて加工が簡単で安上がりになる。
【００１８】
図８および図９は、その前述された建築板材１０に用いられるそのワイヤ・アンカー２２，２２，…，２２を省くように改善されてその物置小屋のその屋根に用いられるこの発明の建築板材の具体例７０を示している。その建築板材７０は、平板状に成形された亜鉛鉄板７１と、その板７１の長さ方向にはその板７１の両端７４，７４に重ね代７６，７６を残して互いにそのたる木３０，３０，３０，３０の間隔を置き、その板７１の幅方向にはその板７１の両側７５，７５に重ね代７７，７７を残して互いに適宜の間隔を置き、そして、その板７１のその裏面７３に溶接された多数の短いワイヤ２１，２１，…，２１とで作られる。
【００１９】
その短いワイヤ２１，２１，…，２１は、そのたる木３０，３０，３０，３０の寸法に合わせた溶接代６１でその平板状亜鉛鉄板７１のその裏面７３に直接溶接される。そのようにその短いワイヤ２１，２１，…，２１がその平板状亜鉛鉄板７１、所謂、平板状のトタン板７１に直接溶接されるその建築板材７０では、そのワイヤ・アンカー２２，２２，…，２２が省かれて加工が簡単で安上がりになる。
【００２０】
図１０および図１１は、その前述された建築板材１０に用いられるそのワイヤ・アンカー２２，２２，…，２２を省いてその物置小屋のその屋根に用いられるこの発明の建築板材の具体例８０を示している。その建築板材８０は、横断面波形に成形されたプラスチック板８１と、その板８１の長さ方向にはその板８１の両端８７，８７に重ね代８９，８９を残して互いにそのたる木３０，３０，３０，３０の間隔を置き、その板８１の幅方向にはその板８１の両側８８，８８に重ね山９０，９０を残して互いに適宜の間隔を置き、そして、ワイヤ中間部分９３でその板８１に結合されてその板８１の裏面８３から外部に両ワイヤ縛り付け部分９２，９２を伸長させる多数の短いワイヤ９１，９１，…，９１とで作られる。
【００２１】
その短いワイヤ９１，９１，…，９１は、そのプラスチック板８１が樹脂から成形される際、そのプラスチック板８１にそのワイヤ中間部分９３を埋め込んでそのプラスチック板８１に一体的に結合される。その場合、そのプラスチック板８１は、そのワイヤ中間部分９３を埋め込む箇所が樹脂の肉盛りで補強されるのが望ましい。勿論、そのプラスチック板８１は、そのワイヤ中間部分９３を埋め込むその箇所がその裏面８３に張り出されるその肉盛りに加えて表面８２にも張り出される樹脂の肉盛りで補強されるのがさらに望ましい。その短いワイヤ９１は、その波形プラスチック板８１の表面８２から見てその波形プラスチック板８１の波８４の山８５に埋め込まれたが、その短いワイヤ９１は、その波形プラスチック板８１のその表面８２から見てその波形プラスチック板８１のその波８４の谷８６に埋め込み可能である。この建築板材８０では、そのワイヤ・アンカー２２，２２，…，２２が省かれて加工が簡単で安上がりになる。
【００２２】
図１２および図１３は、その前述された建築板材１０に用いられるそのワイヤ・アンカー２２，２２，…，２２を省いてその物置小屋のその屋根に用いられるこの発明の建築板材の具体例１００を示している。その建築板材１００は、平板状に成形されたプラスチック板１０１と、その板１０１の長さ方向にはその板１０１の両端１０４，１０４に重ね代１０６，１０６を残して互いにそのたる木３０，３０，３０，３０の間隔を置き、その板１０１の幅方向にはその板１０１の両側１０５，１０５に重ね代１０７，１０７を残して互いに適宜の間隔を置き、そして、ワイヤ中間部分１１０でその板１０１に結合されてその板１０１の裏面１０３から外部に両ワイヤ縛り付け部分１０９，１０９を伸長させる多数の短いワイヤ１０８，１０８，…，１０８とで作られる。
【００２３】
その短いワイヤ１０８，１０８，…，１０８は、そのプラスチック板１０１が樹脂から成形される際、そのプラスチック板１０１にそのワイヤ中間部分１１０を埋め込んでそのプラスチック板１０１に一体的に結合される。その場合、そのプラスチック板１０１は、そのワイヤ中間部分１１０を埋め込む箇所がその裏面１０３に張り出される樹脂の肉盛りで補強されるのが望ましい。勿論、そのプラスチック板１０１は、そのワイヤ中間部分１１０を埋め込むその箇所がその裏面１０３に張り出されるその肉盛りに加えて表面１０２にも張り出される樹脂の肉盛りで補強されるのがさらに望ましい。この建築板材１００では、そのワイヤ・アンカー２２，２２，…，２２が省かれて加工が簡単で安上がりになる。
【００２４】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００２５】
【発明の便益】
上述から理解されるように、この発明の建築板材は、横断面波形に成形される板と、その板の長さ方向にはその板の両端に重ね代を残して互いに支持部材の間隔を置き、その板の幅方向にはその板の両側に重ね山を残して互いに適宜の間隔を置き、そして、多数のワイヤ・アンカーに対応されてそのワイヤ・アンカーでその板の裏面に支持される多数の短いワイヤとを含むので、この発明の建築板材では、屋根の裏側や塀の内側のみで、すなわち、その波形板の片面側のみで取付け工事が可能になり、通常の波形亜鉛鉄板や波形プラスチック板などに明けられるボルト穴やそのボルト穴からの雨漏りを防ぐパッキングが省かれて簡略な取付けが可能になり、その波形板の耐久年数が増えて取付け工事に用いる部品点数が削減され、その取付け工事が安全でしかも簡単になってその取付け工事に要する時間、すなわち、工数が大幅に短縮されて工事総コストが削減され、そして、その波形板が表面にボルトを突き出さずにその支持部材に取り付け可能になってその屋根やその塀などが安全で見映えが向上され、その結果、建築物にとって非常に有用で実用的である。
【００２６】
また、この発明の建築板材は、横断面波形に成形される金属製板と、その板の長さ方向にはその板の両端に重ね代を残して互いに支持部材の間隔を置き、その板の幅方向にはその板の両側に重ね山を残して互いに適宜の間隔を置き、そして、その板の裏面に溶接される多数の短いワイヤとを含むので、この発明の建築板材では、屋根の裏側や塀の内側のみで、すなわち、その波形板の片面側のみで取付け工事が可能になり、通常の波形亜鉛鉄板や波形プラスチック板などに明けられるボルト穴やそのボルト穴からの雨漏りを防ぐパッキングが省かれて簡略な取付けが可能になり、その波形板の耐久年数が増えて取付け工事に用いる部品点数が削減され、その取付け工事が安全でしかも簡単になってその取付け工事に要する時間、すなわち、工数が大幅に短縮されて工事総コストが削減され、そして、その波形板が表面にボルトを突き出さずにその支持部材に取り付け可能になってその屋根やその塀などが安全で見映えが向上され、さらには、加工が簡単で安上がりになり、その結果、建築物にとって非常に有用で実用的である。
【００２７】
さらに、この発明の建築板材は、平板状に成形される金属製板と、その板の長さ方向にはその板の両端に重ね代を残して互いに支持部材の間隔を置き、その板の幅方向にはその板の両側に重ね代を残して互いに適宜の間隔を置き、そして、その板の裏面に溶接される多数の短いワイヤとを含むので、この発明の建築板材では、屋根の裏側や塀の内側のみで、すなわち、その平板状金属板の片面側のみで取付け工事が可能になり、通常の波形亜鉛鉄板や波形プラスチック板などに明けられるボルト穴やそのボルト穴からの雨漏りを防ぐパッキングが省かれて簡略な取付けが可能になり、その平板状金属板の耐久年数が増えて取付け工事に用いる部品点数が削減され、その取付け工事が安全でしかも簡単になってその取付け工事に要する時間、すなわち、工数が大幅に短縮されて工事総コストが削減され、そして、その平板状金属板が表面にボルトを突き出さずにその支持部材に取り付け可能になってその屋根やその塀などが安全で見映えが向上され、さらには、加工が簡単で安上がりになり、その結果、建築物にとって非常に有用で実用的である。
【００２８】
またさらに、この発明の建築板材は、横断面波形に成形されるプラスチック板と、その板の長さ方向にはその板の両端に重ね代を残して互いに支持部材の間隔を置き、その板の幅方向にはその板の両側に重ね山を残して互いに適宜の間隔を置き、そして、ワイヤ中間部分でその板に結合されてその板の裏面から外部に両ワイヤ縛り付け部分を伸長させる多数の短いワイヤとを含むので、この発明の建築板材では、屋根の裏側や塀の内側のみで、すなわち、その波形プラスチック板の片面側のみで取付け工事が可能になり、通常の波形亜鉛鉄板や波形プラスチック板などに明けられるボルト穴やそのボルト穴からの雨漏りを防ぐパッキングが省かれて簡略な取付けが可能になり、その波形プラスチック板の耐久年数が増えて取付け工事に用いる部品点数が削減され、その取付け工事が安全でしかも簡単になってその取付け工事に要する時間、すなわち、工数が大幅に短縮されて工事総コストが削減され、そして、その波形プラスチック板が表面にボルトを突き出さずにその支持部材に取り付け可能になってその屋根やその塀などが安全で見映えが向上され、さらには、加工が簡単で安上がりになり、その結果、建築物にとって非常に有用で実用的である。
【００２９】
さらには、この発明の建築板材は、平板状に成形されるプラスチック板と、その板の長さ方向にはその板の両端に重ね代を残して互いに支持部材の間隔を置き、その板の幅方向にはその板の両側に重ね代を残して互いに適宜の間隔を置き、そして、ワイヤ中間部分でその板に結合されてその板の裏面から外部に両ワイヤ縛り付け部分を伸長させる多数の短いワイヤとを含むので、この発明の建築板材では、屋根の裏側や塀の内側のみで、すなわち、そのプラスチック板の片面側のみで取付け工事が可能になり、通常の波形亜鉛鉄板や波形プラスチック板などに明けられるボルト穴やそのボルト穴からの雨漏りを防ぐパッキングが省かれて簡略な取付けが可能になり、そのプラスチック板の耐久年数が増えて取付け工事に用いる部品点数が削減され、その取付け工事が安全でしかも簡単になってその取付け工事に要する時間、すなわち、工数が大幅に短縮されて工事総コストが削減され、そして、そのプラスチック板が表面にボルトを突き出さずにその支持部材に取り付け可能になってその屋根やその塀などが安全で見映えが向上され、さらには、加工が簡単で安上がりになり、その結果、建築物にとって非常に有用で実用的である。
【図面の簡単な説明】
【図１】物置小屋の屋根に用いられるこの発明の建築板材の具体例を部分的に破断して示した斜視図である。
【図２】図１の２−２線に沿って示した断面図である。
【図３】図１に示されたその建築板材に用いられるワイヤ・アンカーを示した斜視図である。
【図４】キーストン・プレートに用いられるワイヤ・アンカーを示した斜視図である。
【図５】波形プラスチック板に用いられるワイヤ・アンカーを示した斜視図である。
【図６】さらに簡略にするように改善されて物置小屋の屋根に用いられるこの発明の建築板材の具体例を部分的に破断して示した斜視図である。
【図７】図６の７−７線に沿って示した断面図である。
【図８】ワイヤ・アンカーを省くように改善されて物置小屋の屋根に用いられるこの発明の建築板材の具体例を部分的に破断して示した斜視図である。
【図９】図８の９−９線に沿って示した断面図である。
【図１０】ワイヤ・アンカーを省いて物置小屋の屋根に用いられるこの発明の建築板材の具体例を部分的に破断して示した斜視図である。
【図１１】図１０の１１−１１線に沿って示した断面図である。
【図１２】ワイヤ・アンカーを省いて物置小屋の屋根に用いられるこの発明の建築板材の具体例を部分的に破断して示した斜視図である。
【図１３】図１２の１３−１３線に沿って示した断面図である。
【符号の説明】
１０    建築板材
１１    横断面波形に成形された亜鉛鉄板
１３    裏面
１４    波
１６    谷
１９    重ね代
２０    重ね山
２１    短いワイヤ
２２    ワイヤ・アンカー
２３    ワイヤ溝
３０    たる木
４０    ワイヤ・アンカー
４１    ワイヤ溝
５０    ワイヤ・アンカー
５１    目玉
６０    建築板材
６１    溶接代
７０    建築板材
７１    平板状亜鉛鉄板
７２    表面
７３    裏面
７６    重ね代
７７    重ね代
８０    建築板材
８１    波形プラスチック板
８２    表面
８３    裏面
８４    波
８５    山
８６    谷
８９    重ね代
９０    重ね山
９１    短いワイヤ
９２    ワイヤ縛り付け部分
９３    ワイヤ中間部分
１００    建築板材
１０１    平板状プラスチック板
１０２    表面
１０３    裏面
１０６    重ね代
１０７    重ね代
１０８    短いワイヤ
１０９    ワイヤ縛り付け部分
１１０    ワイヤ中間部分
【図１】
0003988969.tif 000002
【図２】
0003988969.tif 000003
【図３】
0003988969.tif 000004
【図４】
0003988969.tif 000005
【図５】
0003988969.tif 000006
【図６】
0003988969.tif 000007
【図７】
0003988969.tif 000008
【図８】
0003988969.tif 000009
【図９】
0003988969.tif 000010
【図１０】
0003988969.tif 000011
【図１１】
0003988969.tif 000012
【図１２】
0003988969.tif 000013
【図１３】
0003988969.tif 000014